【手続補正書】
【提出日】平成19年2月28日(2007.2.28)
【手続補正１】
【補正対象書類名】特許請求の範囲
【補正対象項目名】全文
【補正方法】変更
【補正の内容】
【特許請求の範囲】
【請求項１】
直流電源と、この直流電源から供給される直流を高周波電流に変換するインバータ回路と、このインバータ回路からの高周波電流により放電灯を点灯する放電灯負荷回路とを備えた放電灯点灯装置において、
上記インバータ回路の出力に接続されたカップリングコンデンサとチョークコイルの直列回路がこの順に放電灯を介して上記直流電源の負極に接続され、上記カップリングコンデンサと上記チョークコイルの接続点と上記直流電源の負極間の電圧を平均化して検出する正負電圧検出回路と、
上記正負電圧検出回路に接続され、上記正負電圧検出回路の検出電圧のうち負の信号を入力し、この負の信号が負の基準値よりも低いときに、正の高レベルの出力信号を出力する信号変換回路と、
上記正負電圧検出回路及び上記信号変換回路に接続され、入力される上記正負電圧検出回路の検出電圧のうち正の信号が正の基準値よりも高いとき、または、上記信号変換回路から高レベルの出力信号が入力されるとき、上記インバータ回路の発振を停止させるとともに停止状態を継続させる保持回路と、
を備えたことを特徴とする放電灯点灯装置。
【請求項２】
直流電源と、この直流電源から供給される直流を高周波電流に変換するインバータ回路と、このインバータ回路からの高周波電流により放電灯を点灯する放電灯負荷回路とを備えた放電灯点灯装置において、
上記インバータ回路の出力に接続されたカップリングコンデンサとチョークコイルの直列回路が放電灯を介して上記直流電源の負極に接続され、上記放電灯の両端電圧を平均化して検出する正負電圧検出回路と、
この正負電圧検出回路の検出電圧が予め定めた正負電圧の範囲から外れているときに上記インバータ回路の発振を停止させるとともに停止状態を継続させる保持回路と、
を備えたことを特徴とする放電灯点灯装置。
【請求項３】
正負電圧検出回路の負の検出電圧が予め定めた範囲から外れているときに、正の高レベルの電圧を出力する信号変換回路を備え、この信号変換回路の出力が正の高レベル電圧の場合に保持回路はインバータ回路の発振を停止させるとともに停止状態を継続させることを特徴とする請求項２記載の放電灯点灯装置。
【請求項４】
一端が直流電源の正極に他端がカップリングコンデンサとチョークコイルの接続点に接続された抵抗を備えたことを特徴とする請求項１〜３のいずれかに記載の放電灯点灯装置。
【請求項５】
一端が直流電源の負極に接続され、他端が放電灯のフィラメントを介して上記直流電源の負極に接続されたダイオードとコンデンサの直列回路を有し、
上記ダイオードとコンデンサの直列回路に電流が流れたときに上記放電灯が装着されたと識別し、上記放電灯が装着されているときにインバータ回路の発振動作を可能とし、上記放電灯が未装着の場合には上記インバータ回路の発振を停止させる放電灯装着検出回路を備えたことを特徴とする請求項１〜４のいずれかに記載の放電灯点灯装置。
【請求項６】
一端が直流電源の負極に接続され、他端が放電灯のフィラメントを介して上記直流電源の負極に接続されたダイオードとコンデンサの直列回路を有し、上記ダイオードとコンデンサの直列回路に電流が流れたときに上記放電灯が装着されたと識別し、上記放電灯が装着されているときにインバータ回路の発振動作を可能とし、上記放電灯が未装着のとき、上記インバータ回路の発振を停止させる放電灯装着検出回路、上記フィラメントの両端に発生する正負の電圧のうち、負の電圧が上記信号変換回路に入力するように、上記信号変換回路と上記放電灯装着検出回路の上記ダイオードと上記コンデンサの接続点とを接続する漏気検出回路、からなる放電灯装着及び漏気検出回路と、
を備え、
上記信号変換回路は、
上記放電灯が漏気状態で放電不能な状態となったとき、上記フィラメントの両端に発生する正負の電圧のうち、負の電圧が負の基準値よりも低くなることを検出して、正の高レベルの出力信号を出力することを特徴とする請求項１、３または４のいずれかに記載の放電灯点灯装置。
【請求項７】
放電灯に流れる高周波電流を予め定められた予熱期間を設定するタイマを有する予熱タイマ回路と、
正負電圧検出回路及び信号変換回路の出力信号を上記予熱期間中は無効とするスイッチ手段と、
を備えたことを特徴とする請求項１〜６のいずれかに記載の放電灯点灯装置。
【請求項８】
放電灯が未装着のとき、又は、インバータ回路の発振を停止継続している期間は予熱タイマ回路のタイマをリセットするリセット手段を備えたことを特徴とする請求項７記載の放電灯点灯装置。
【請求項９】
正負電圧検出回路を各放電灯に対応してそれぞれ設け、これらの正負電圧検出回路の正負の検出電圧をダイオードを介してワイヤードオア接続して、信号変換回路、または、保持回路に出力するようにしたことを特徴とする請求項１または請求項３〜８のいずれかに記載の放電灯点灯装置。
【手続補正２】
【補正対象書類名】明細書
【補正対象項目名】０００９
【補正方法】変更
【補正の内容】
【０００９】
この発明に係る放電灯点灯装置は、直流電源と、この直流電源から供給される直流を高周波電流に変換するインバータ回路と、このインバータ回路からの高周波電流により放電灯を点灯する放電灯負荷回路とを備えた放電灯点灯装置において、上記インバータ回路の出力に接続されたカップリングコンデンサとチョークコイルの直列回路がこの順に放電灯を介して上記直流電源の負極に接続され、上記カップリングコンデンサと上記チョークコイルの接続点と上記直流電源の負極間の電圧を平均化して検出する正負電圧検出回路と、上記正負電圧検出回路に接続され、上記正負電圧検出回路の検出電圧のうち負の信号を入力し、この負の信号が負の基準値よりも低いときに、正の高レベルの出力信号を出力する信号変換回路と、上記正負電圧検出回路及び上記信号変換回路に接続され、入力される上記正負電圧検出回路の検出電圧のうち正の信号が正の基準値よりも高いとき、または、上記信号変換回路から高レベルの出力信号が入力されるとき、上記インバータ回路の発振を停止させるとともに停止状態を継続させる保持回路と、を備えたものである。
【手続補正３】
【補正対象書類名】明細書
【補正対象項目名】００１０
【補正方法】変更
【補正の内容】
【００１０】
この発明は、インバータ回路の出力に接続されたカップリングコンデンサとチョークコイルの直列回路がこの順に放電灯を介して上記直流電源の負極に接続され、上記カップリングコンデンサと上記チョークコイルの接続点と上記直流電源の負極間の電圧を平均化して検出する正負電圧検出回路と、上記正負電圧検出回路に接続され、上記正負電圧検出回路の検出電圧のうち負の信号を入力し、この負の信号が負の基準値よりも低いときに、正の高レベルの出力信号を出力する信号変換回路と、上記正負電圧検出回路及び上記信号変換回路に接続され、入力される上記正負電圧検出回路の検出電圧のうち正の信号が正の基準値よりも高いとき、または、上記信号変換回路から高レベルの出力信号が入力されるとき、上記インバータ回路の発振を停止させるとともに停止状態を継続させる保持回路と、を備えたので、放電灯の定格電流が概略等しく、定格電圧（定格電力）の異なる複数の種類の放電灯を同一の点灯装置で点灯した場合でも、放電灯の種類によらず寿命末期等の異常状態を検出し、インバータ回路の動作を安全に停止できる。
そのため、放電灯の種類毎に保持回路の回路定数を最適に選定する必要がなく点灯装置を生産するための部品の種類や在庫管理機種を低減することができる。
【手続補正４】
【補正対象書類名】明細書
【補正対象項目名】００４２
【補正方法】変更
【補正の内容】
【００４２】
実施の形態２．
図４は、この発明の実施の形態２の放電灯点灯装置の構成を示す回路図、図２の動作モード４の（ａ）〜（ｅ）は点灯装置の動作説明図である。
図において、実施の形態１と同一作用をする素子及び構成要素は同一符号を付して説明を省略する。
本実施の形態は、放電灯に流れる高周波電流を予め定められた予熱期間を設定するタイマを有する予熱タイマ回路１７、放電灯の保護検出時に予熱タイマ回路のタイマ時間をリセットするリセット手段であるダイオード１８及び予熱タイマ期間中は放電灯の保護動作を無効にするスイッチ手段であるＮＰＮトランジスタ７１を付加したものである。
【手続補正５】
【補正対象書類名】明細書
【補正対象項目名】００４４
【補正方法】変更
【補正の内容】
【００４４】
実施の形態２の動作を図４及び図２の動作モード４で説明する。動作モード４の動作期間は図の時間ｔ４〜ｔ５の期間である。
図４において、直流電源１が投入されると、発振制御回路４によりスイッチング素子２及び３は交互に高周波で駆動される。